(57)【要約】【課題】放送を用いた情報提供システム及び情報提供サーバに関し、放送と通信などの複数のメディアを融合し、簡易、かつ、効率よく情報の発信及び提供を受けることができる情報提供システム及び情報提供サーバを提供することを目的とする。【解決手段】本発明は、情報発信者端末装置はネットワークを介してサーバに情報を提供し、サーバは情報発信者端末装置から提供された情報を登録し、登録された情報に基づいて情報を情報発信者の属する地域の放送局の放送局端末装置に提供し、放送局端末装置はサーバから提供された情報を表示し、放送で情報を紹介する際に行われる所定の操作に応じて情報を選択し、サーバに情報を紹介する旨の通知を行い、サーバは放送局端末装置からの情報を紹介する旨の通知に応じて所定時間、放送で紹介される情報を公開し、情報受信者端末装置は所定時間の間にサーバにアクセスすることにより放送されている情報を取得可能とされていることを特徴とする。【選択図】図１
2007235887.tif 000002
【特許請求の範囲】
【請求項１】
放送を用いた情報提供システムであって、
ネットワークを介して通信可能とされた情報発信者端末装置と、
前記ネットワークを介して通信可能とされた放送局端末装置と、
前記ネットワークを介して通信可能とされた情報受信者端末装置と、
前記ネットワークを介して前記情報発信者端末装置及び前記放送局端末装置並びに前記受信者端末装置と通信可能とされたサーバとを有し、
前記情報発信者端末装置は、前記ネットワークを介して前記サーバに情報を提供し、
前記サーバは、前記情報発信者端末装置から提供された情報を登録し、登録された前記情報に基づいて前記情報を前記情報発信者の属する地域の放送局の前記放送局端末装置に提供し、
前記放送局端末装置は、前記サーバから提供された前記情報を表示し、前記放送で情報を紹介する際に行われる所定の操作に応じて前記情報を選択し、前記サーバに前記情報を紹介する旨の通知を行い、
前記サーバは、前記放送局端末装置からの前記情報を紹介する旨の通知に応じて所定時間、放送で紹介される前記情報を公開し、
前記情報受信者端末装置は、前記所定時間の間に前記サーバにアクセスすることにより前記放送局で放送されている前記情報を取得可能とされていることを特徴とする情報提供システム。
【請求項２】
前記サーバは、前記登録された情報を前記情報へのアクセス頻度及び代価に応じてランキングし、前記放送局端末装置に提供することを特徴とする請求項１記載の情報提供システム。
【請求項３】
前記情報は、前記情報発信者端末装置の位置情報を含み、
前記サーバは、前記位置情報に基づいて前記情報発信者の属する地域の放送局を判定し、前記地域情報に応じた地域の前記放送局端末装置に情報を提供することを特徴とする請求項１記載の情報提供システム。
【請求項４】
前記情報発信者端末装置は、前記サーバに予め所定の情報受信者端末装置にサービス情報を通知するための情報受信者情報を登録し、
前記サーバは、前記情報発信者端末装置から前記情報が提供されたとき、予め登録された前記情報受信者情報基づいて前記情報を前記情報受信者端末装置に通知することを特徴とする請求項１記載の情報提供システム。
【請求項５】
前記サーバは、前記ネットワークを介して複数の放送エリアの前記情報発信者端末装置及び前記放送局端末装置並びに前記受信者端末装置と通信可能とされ、複数の放送エリアの情報を統合していることを特徴とする請求項１記載の情報提供システム。
【請求項６】
防災情報を取得し、前記ネットワークを介して前記サーバに提供する防災情報提供サーバを有し、
前記防災情報提供サーバは、前記防災情報を取得すると、前記サーバに提供し、
前記サーバは、前記防災情報提供サーバから前記防災情報を取得すると、前記放送局端末装置に前記防災情報を送信することを特徴とする請求項１記載の情報提供システム。
【請求項７】
前記サーバは、予め災害時提供情報を有しており、前記防災情報から防災情報の適用地域を特定し、特定した地域に前記放送に対応した公開情報に代えて前記災害時提供情報を公開することを特徴とする請求項６記載の情報提供システム。
【請求項８】
前記サーバは、前記防災情報から防災情報の適用地域を特定し、特定した地域の予め登録された端末装置に対して前記防災情報を送信することを特徴とする請求項６記載の情報提供システム。
【請求項９】
前記サーバは、識別番号毎に個人情報、及び、メッセージ、並びに、公開先識別番号が予め登録されており、前記識別番号にアクセスされたとき前記公開先識別番号の個人情報、及び、メッセージをアクセス元に提供することを特徴とする請求項１記載の情報提供システム。
【請求項１０】
前記識別番号は、固定電話番号、あるいは、携帯電話番号であることを特徴とする請求項９記載の情報提供システム。
【請求項１１】
放送に応じた情報を提供する情報提供サーバであって、
ネットワークを介して前記情報発信者端末装置及び前記放送局端末装置並びに前記情報受信者端末装置と通信する通信手段と、
前記情報発信者端末装置から提供された情報を登録する登録手段と、
前記登録手段で登録された前記情報に基づいて前記情報を前記情報発信者の属する地域の前記放送局端末装置に提供する第１の情報提供手段と、
前記放送局端末装置からの前記情報を紹介する旨の通知に応じて所定時間、放送で紹介される前記情報を公開し、前記所定時間の間に前記情報受信者端末装置からのアクセスにより前記放送で放送されている前記情報を前記情報受信者端末装置に提供する第２の情報提供手段とを有することを特徴とする情報提供サーバ。
【請求項１２】
前記第１の情報提供手段は、前記登録された情報を前記情報へのアクセス頻度及び代価に応じてランキングし、前記放送局端末装置に提供することを特徴とする請求項１１記載の情報提供サーバ。
【請求項１３】
前記情報は、前記情報発信者端末装置の位置情報を含み、
前記第１の情報提供手段は、前記固定電話番号により前記情報発信者の属する地域の放送局を判定し、判定された放送局の前記放送局端末装置に情報を提供することを特徴とする請求項１１記載の情報提供システム。
【請求項１４】
前記情報発信者端末装置により予め顧客端末装置にサービス情報を通知するための顧客情報が登録されており、前記情報発信者端末装置から前記サービス情報が提供されたとき、予め登録された前記顧客情報に基づいて前記サービス情報を前記顧客端末装置に通知する第３の情報提供手段を有することを特徴とする請求項１１記載の情報提供サーバ。
【請求項１５】
前記ネットワークを介して複数の放送エリアの前記情報発信者端末装置及び前記放送局端末装置並びに前記受信者端末装置と通信可能とされており、
前記複数の放送エリアの情報を統合して管理する管理手段を有することを特徴とする請求項１１記載の情報提供サーバ。
【請求項１６】
防災情報を取得したとき、前記放送局端末装置に前記防災情報を送信する第４の情報提供手段を有することを特徴とする請求項１１記載の情報提供サーバ。
【請求項１７】
予め災害時提供情報を有しており、前記防災情報から防災情報の適用地域を特定し、特定した地域に前記放送に対応した公開情報に代えて前記災害時提供情報を公開する第５の情報提供手段を有することを特徴とする請求項１１記載の情報提供サーバ。
【請求項１８】
前記防災情報から防災情報の適用地域を特定し、特定した地域の予め登録された端末装置に対して前記防災情報を送信する第６の情報提供手段を有することを特徴とする請求項１１記載の情報提供サーバ。
【請求項１９】
識別番号毎に個人情報、及び、メッセージ、並びに、公開先識別番号が予め登録されており、前記識別番号にアクセスされたとき前記公開先識別番号の個人情報、及び、メッセージをアクセス元に提供する第７の情報提供手段を有することを特徴とする請求項１１記載の情報提供サーバ。
【請求項２０】
前記識別番号は、固定電話番号、あるいは、携帯電話番号であることを特徴とする請求項１９記載の情報提供サーバ。
【発明の詳細な説明】
【技術分野】
【０００１】
本発明は情報提供システム及び情報提供サーバに係り、特に、ラジオ放送を用いた情報提供システム及び情報提供サーバに関する。
【背景技術】
【０００２】
ＦＭ方式を用いたローカルなラジオ放送として県域ＦＭ、コミュニティ放送、ミニＦＭ局などと呼ばれる放送が各地で開局されている。コミュニティ放送は、放送エリアが狭く、比較的安価に、地域に密着したラジオ放送を提供できる利点がある。従来、県域ＦＭ放送、コミュニティ放送、ミニＦＭ局は一方向的な放送メディアとして展開していた。
【０００３】
一方、放送と通信を融合したシステムとしては、例えば、インターネット通信などを通じてラジオ放送やテレビジョン放送を提供するものがあった。
【発明の開示】
【発明が解決しようとする課題】
【０００４】
しかるに、従来の県域ＦＭ、コミュニティ放送、ミニＦＭ局は一方向的な放送メディアであった。これらの県域ＦＭ、コミュニティ放送、ミニＦＭ局放送には、よって、放送、ＰＣインターネット、携帯インターネット、出版紙面などが融合した新たなメディアとして活用されることが望まれている。
【０００５】
本発明は、放送と通信などの複数のメディアを融合し、簡易、かつ、効率よく、さらには、低コストで情報の発信及び提供を受けることができる情報提供システム及び情報提供サーバを提供することを目的とする。
【課題を解決するための手段】
【０００６】
本発明は、放送を用いた情報提供システムであって、ネットワークを介して通信可能とされた情報発信者端末装置と、ネットワークを介して通信可能とされた放送局端末装置と、ネットワークを介して通信可能とされた情報受信者端末装置と、ネットワークを介して情報発信者端末装置及び放送局端末装置並びに受信者端末装置と通信可能とされたサーバとを有し、情報発信者端末装置はネットワークを介してサーバに情報を提供し、サーバは情報発信者端末装置から提供された情報を登録し、登録された情報に基づいて情報を情報発信者の属する地域の放送局の放送局端末装置に提供し、放送局端末装置はサーバから提供された情報を表示し、放送で情報を紹介する際に行われる所定の操作に応じて情報を選択し、サーバに前記情報を紹介する旨の通知を行い、サーバは放送局端末装置からの情報を紹介する旨の通知に応じて所定時間、放送で紹介される情報を公開し、情報受信者端末装置は所定時間の間にサーバにアクセスすることにより放送されている情報を取得可能とされていることを特徴とする。
【０００７】
また、サーバは登録された情報を情報へのアクセス頻度及び代価に応じてランキングし、放送局端末装置に提供することを特徴とする。
【０００８】
さらに、情報は地域情報を含み、サーバは地域情報に基づいて地域情報に応じた地域の放送局端末装置に情報を提供することを特徴とする。
【０００９】
情報発信者端末装置は、サーバに予め所定の情報受信者端末装置にサービス情報を通知するための情報受信者情報を登録し、サーバは情報発信者端末装置から情報が提供されたとき、予め登録された情報受信者情報基づいて情報を情報受信者端末装置に通知することを特徴とする。
【００１０】
また、本発明は、防災情報を取得し、ネットワークを介してサーバに提供する防災情報提供サーバを有し、防災情報提供サーバは防災情報を取得すると、サーバに提供し、サーバは防災情報提供サーバから防災情報を取得すると、放送局端末装置に防災情報を送信することを特徴とする。
【００１１】
サーバは予め災害時提供情報を有しており、防災情報から防災情報の適用地域を特定し、特定した地域に放送に対応した公開情報に代えて災害時提供情報を公開することを特徴とする。
【００１２】
サーバは防災情報から防災情報の適用地域を特定し、特定した地域の予め登録された端末装置に対して防災情報を送信することを特徴とする。
【００１３】
サーバは識別番号毎に個人情報、及び、メッセージ、並びに、公開先識別番号が予め登録されており、識別番号にアクセスされたとき公開先識別番号の個人情報、及び、メッセージをアクセス元に提供することを特徴とする。識別番号は、固定電話番号、あるいは、携帯電話番号であることを特徴とする。
【発明の効果】
【００１４】
本発明によれば、放送局端末装置からの情報を紹介する旨の通知に応じて所定時間、放送で紹介される情報を公開することにより、情報受信者端末装置からサーバにアクセスするだけで現在放送により紹介されている情報を取得できるため、簡単な操作で必要な情報を取得できる。
【００１５】
また、本発明によれば、サーバは防災情報提供サーバから防災情報を取得すると、放送局端末装置に防災情報を送信することにより、防災情報を聴取者に迅速に通知できる。
【００１６】
さらに、サーバは予め災害時提供情報を有しており、防災情報から防災情報の適用地域を特定し、特定した地域に放送に対応した公開情報に代えて災害時提供情報を公開することにより、避難場所、避難経路、食料、水などの確保法などの情報を自動的に通知することが可能となる。
【００１７】
また、サーバは防災情報から防災情報の適用地域を特定し、特定した地域の予め登録された端末装置に対して防災情報を送信することにより、ラジオなどを携帯していない場合であっても、携帯電話などの端末装置から防災情報を取得することができる。
【００１８】
さらに、識別番号毎に個人情報、及び、メッセージ、並びに、公開先識別番号が予め登録されており、識別番号にアクセスされたとき公開先識別番号の個人情報、及び、メッセージをアクセス元に提供することにより、個人間で連絡を容易に行えるようになる。
【発明を実施するための最良の形態】
【００１９】
〔構成〕
図１は本発明の一実施例のシステム構成図、図２は一つの放送エリアＡi内のブロック構成図を示す。
【００２０】
本実施例の情報提供システム１００は、県域ＦＭ放送、コミュニティ放送、ミニＦＭ局などの複数のローカルなＦＭラジオ放送局をサーバにより統合し、広域の店舗、各ＦＭラジオ放送局、ユーザなどに情報を提供する情報提供システムである。各ＦＭラジオ放送局のエリアＡには、店舗端末装置１１１、ラジオ放送局端末装置１１２、聴取者端末装置１１３が設けられており、ネットワーク１１５を介してサーバ１１４と通信可能とされる。
【００２１】
また、サーバ１１４は、ネットワーク１１５を介して防災情報提供サーバ１１９と通信可能とされている。防災情報提供サーバ１１９は、大雨、強風、台風、地震などの防災情報を収集し、提供するサーバである。
【００２２】
なお、ＦＭラジオ放送局１１６に設けられた放送設備１１７により各放送エリアＡに対してラジオ放送が行われており、各放送エリアＡ内のラジオ１１８によりＦＭラジオ放送局１１６により放送されているラジオ放送を聴取可能な構成とされている。
【００２３】
店舗端末装置１１１は、情報発信者端末装置であり、例えば、店舗管理者１２１などが携帯する携帯電話機であり、ネットワーク１１５を介してサーバ１１４と通信可能な構成とされている。なお、店舗端末装置１１１は、ネットワーク１１５を介してサーバ１１４と通信可能な環境に設定されたパーソナルコンピュータ、ＰＤＡなどであってもよく、要はネットワーク１１５を介してサーバ１１４と通信可能な装置であればよい。
【００２４】
ラジオ放送局端末装置１１２は、例えば、パーソナルコンピュータであり、放送局１１７に設置されており、ネットワーク１１５を介してサーバ１１４と通信可能とされている。聴取者端末装置１１３は、情報受信者端末装置であり、例えば、ラジオ１１８により放送エリアＡi（iは１〜ｎ）のラジオ放送を聴く聴取者１２２が携帯する携帯電話機であり、ネットワーク１１５を介してサーバ１１４と通信可能とされている。なお、ラジオ放送局端末装置１１２は、ネットワーク１１５を介してサーバ１１４と通信可能とされた装置であれば、パーソナルコンピュータに限定されるものではない。
【００２５】
サーバ１１４は、例えば、サーバコンピュータシステムであり、ＡＳＰを構成しており、ネットワーク１１４を介して店舗端末装置１１１及びラジオ放送局端末装置１１２並びに聴取者端末装置１１３と通信可能とされている。なお、サーバ１１４は、店舗端末装置１１１及び複数の放送エリアＡ1〜Ａnのラジオ放送局１１６に設置されたラジオ放送局端末装置１１２並びに聴取者端末装置１１３とネットワーク１１４を介して通信が可能な構成とされている。
【００２６】
図３はサーバ１１４のブロック構成図を示す。
【００２７】
サーバ１１４は、通信部１３１、処理部１３２、店舗情報管理データベース１３３、画像データベース１３４、テキストデータベース１３５、地図データベース１３６、顧客データベース１３７、管理プログラム記憶部１３８、個人情報データベース１３９から構成されている。
【００２８】
通信部１３１は、ネットワーク１１５を介して店舗端末装置１１１及びラジオ放送局端末装置１１２並びに聴取者端末装置１１３との通信を行う。
【００２９】
処理部１３２は、管理プログラム記憶部１３８に記憶された管理プログラムに基づいて店舗情報を管理する処理を実行する。
【００３０】
図４は店舗情報管理データベース１３３のデータ構成図を示す。
【００３１】
店舗情報管理データベース１３３は、店舗情報を管理するためのデータベースであり、名称情報格納部１４１、認証番号格納部１４２、電話番号格納部１４３、住所格納部１４４、業種情報格納部１４５、画像格納場所アドレス格納部１４６、テキスト格納場所格納部アドレス１４７、地図格納場所アドレス格納部１４８、顧客情報格納場所アドレス格納部１４９、ラジオ放送エリア情報格納部１５０、アクセス頻度情報格納部１５１、代価格納部１５２、ランキング情報格納部１５３から構成されている。
【００３２】
名称情報格納部１４１には、登録された店舗の名称Ｎａｍｅ1〜Ｎａｍｅnが格納される。認証番号格納部１４２には、登録された店舗に付与された認証番号ＩＤ1〜ＩＤnが格納される。
【００３３】
電話番号格納部１４３には、登録された店舗に設置された固定電話の電話番号ＴＥＬ1〜ＴＥＬnが格納される。住所格納部１４４には、登録された店舗の住所Ａｄｒ1〜Ａｄｒnが格納される。業種情報格納部１４５には、登録された店舗が運営する業種の情報Ｋ1〜Ｋnが格納される。
【００３４】
画像格納場所アドレス格納部１４６には、画像データベース１３４のアドレスＧ1〜Ｇnが格納される。テキスト格納場所格納部アドレス１４７には、テキストデータベース１３５のアドレスＴ1〜Ｔnが格納される。地図格納場所アドレス格納部１４８には、地図データベース１３６のアドレスＭ1〜Ｍnが格納される。
【００３５】
顧客情報格納場所アドレス格納部１４９には、顧客データベース１３７のアドレスＣ1〜Ｃnが格納される。
【００３６】
ラジオ放送エリア情報格納部１５０には、放送エリア情報Ａ1〜Ａnが格納される。ランキング情報格納部１５１には、ランキングＲ1〜Ｒnが格納される。アクセス頻度情報格納部１５１には、店舗情報へのアクセス頻度情報が格納される。代価格納部１５２には、店舗より支払われた代価の情報が格納される。
【００３７】
図５は画像データベース１３４のデータ構成図を示す。
【００３８】
画像データベース１３４は、店舗情報登録時に店舗端末装置１１１から入力された画像データを記憶したデータベースであり、格納場所アドレス部１６１及び画像データ格納部１５２から構成されている。
【００３９】
格納場所アドレス部１６１は、店舗情報管理データベース１３３で管理されている画像格納場所アドレスＧ1〜Ｇnが設定されている。画像データ格納部１６２には、画像データｇ11、ｇ12・・・ｇn1、ｇn2が格納されている。
【００４０】
図６はテキストデータベース１３５のデータ構成図を示す。
【００４１】
テキストデータベース１３５は、店舗情報登録時に店舗端末装置１１１から入力された店舗を紹介するためのテキストデータを記憶したデータベースであり、格納場所アドレス部１７１及びテキストデータ格納部１７２から構成されている。
【００４２】
格納場所アドレス部１７１は、店舗情報管理データベース１３３で管理されているテキスト格納場所アドレスＴ1〜Ｔnが設定されている。テキストデータ格納部１７２には、テキストデータｔ10、ｔ11・・・ｔn0、ｔn1が格納されている。
【００４３】
図７は地図データベース１３６のデータ構成図を示す。
【００４４】
地図データベース１３６は、店舗情報登録時に店舗端末装置１１１から入力された店舗の所在位置が示された地図データを記憶したデータベースであり、格納場所アドレス部１８１及び地図データ格納部１８２から構成されている。
【００４５】
格納場所アドレス部１８１は、店舗情報管理データベース１３３で管理されている地図格納場所アドレスＭ1〜Ｍnが設定されている。地図データ格納部１８２には、地図データｍ11・・・ｍn1が格納されている。
【００４６】
図８は顧客データベース１３７のデータ構成図を示す。
【００４７】
顧客データベース１３７は、各店舗の顧客データを記憶したデータベースであり、格納場所アドレス部１９１及び顧客データ格納部１９２から構成されている。
【００４８】
格納場所アドレス部１９１は、店舗情報管理データベース１３３で管理されている顧客情報格納場所アドレスＣ1〜Ｃnが設定されている。顧客データ格納部１９２には、顧客データｃ11・・・ｃn1が格納されている。
【００４９】
図９は個人情報データベース１３９のデータ構成図を示す。
【００５０】
個人情報データベース１３９は、氏名格納部２０１、年齢格納部２０２、識別番号格納部２０３、パスワード格納部２０４、連絡先格納部２０５、顔写真情報格納部２０６、所属グループ登録部２０７、メッセージ登録部２０８から構成されている。
【００５１】
氏名格納部２０１には、登録者の氏名が格納される。年齢格納部２０２には、登録者の年齢情報が格納される。識別番号格納部２０３には、登録者の識別番号が格納される。識別番号は、例えば、登録者の自宅の固定電話番号、あるいは、登録者所有の携帯電話機の電話番号などである。識別番号を固定電話番号、あるいは、携帯電話番号など比較的忘れ難い情報とすることにより緊急時などでも容易にアクセスすることができる。また、パスワード格納部２０４には、パスワードが設定される。緊急時などにはパスワードの確認を行わないようにしてもよい。
【００５２】
連絡先格納部２０５には、連絡先格納部２０５に住所などの連絡先の情報が格納される。顔写真情報格納部２０６には、顔写真のデータが格納される。
【００５３】
所属グループ登録部２０７には、登録したグループを識別する情報が格納される。メッセージ登録部２０８には、メッセージが登録される。
【００５４】
〔動作〕
まず、平常時の動作を説明する。
【００５５】
図１０は本発明の一実施例の動作説明図を示す。
【００５６】
まず、パーソナリティ１２３がＦＭラジオ放送を通じて店舗情報を公募する旨の放送を行う。店舗管理者１２１は店舗端末装置１１１を操作して、サーバ１１４にアクセスして、自店舗の店舗情報の公開に応募する。
【００５７】
まず、サーバ１１４に店舗情報を登録する動作を説明する。
【００５８】
店舗管理者１２１がサーバ１１４に店舗情報登録を要求する操作を行うことにより、店舗端末装置１１１はステップＳ１−１でサーバ１１４に登録画面を要求する。サーバ１１４は、ステップＳ２−１で店舗端末装置１１１から登録画面の要求を受けると、ステップＳ２−２で店舗端末装置１１１に登録画面を送信する。
【００５９】
店舗端末装置１１１はステップＳ１−２でサーバ１１４から登録画面を受信すると、登録画面を店舗端末装置１１１のディスプレイに表示する。店舗端末装置１１１は、ステップＳ１−３で店舗管理者１２１の操作により登録画面に従って名称、住所、固定電話番号、ＩＤ、画像、テキスト、顧客情報などの店舗情報を入力し、ステップＳ１−４で登録操作が行われると、ステップＳ１−５で入力された店舗情報をサーバ１１４に送信する。
【００６０】
サーバ１１４は、ステップＳ２−３で店舗端末装置１１１から店舗情報を受信すると、ステップＳ２−４で店舗情報を店舗情報管理データベース１３３、画像データベース１３４、テキストデータベース１３５、地図データベース１３６、顧客データベース１３７に登録する。
【００６１】
サーバ１１４は店舗情報が店舗情報管理データベース１３３に登録されると、ステップＳ２−５で入力された固定電話番号ＴＥＬiに基づいて登録された店舗情報の放送エリアＡｉを決定し、店舗情報管理データベース１３３の放送エリア情報格納部１５０に設定する。なお、放送エリア情報格納部１５０は、固定電話番号ＴＥＬiの市外局番、住所Ａｄｒiに含まれる郵便番号などの地域情報に基づいて割り当てる。なお、登録された店舗情報の住所によって放送エリアＡiを割り当てるようにしてもよい。
【００６２】
サーバ１１４は、ステップＳ２−６で店舗情報管理データベース１３３のアクセス頻度情報格納部１５１に格納されたアクセス頻度情報Ｈi、及び、代価情報格納部１５２に格納された代価情報Ｄiに基づいてランキングＲiを決定し、店舗情報管理データベース１３３のランキング格納部１５３に設定する。
【００６３】
なお、ランキングＲiは、アクセス頻度Ｈi及び代価Ｄiとの
関数Ｆ（Ｈi、Ｄi）、例えば、
Ｆ（Ｈi、Ｄi）＝ａ×Ｈi＋ｂ×Ｄi（なお、ａ、ｂは所定の係数）
に基づいて算出される数値が大きいものから順に決定される。
【００６４】
サーバ１１４は、ステップＳ２−７で店舗情報管理データベース１３３の放送エリア情報格納部１５０に格納された放送エリア情報Ａ1〜Ａnに基づいて放送エリア毎の店舗情報一覧を作成し、各放送エリアの放送局端末装置１１２に送信する。あるいは、放送局端末装置１１２からの要求に基づいて放送エリア毎の店舗情報一覧を作成し、送信する。
【００６５】
このとき、放送局端末装置１１２に送信される店舗情報一覧には、各店舗情報に設定されたランキング情報が付与される。
【００６６】
放送局端末装置１１２は、ステップＳ３−１でサーバ１１４から店舗情報一覧を受信すると、ステップＳ３−２で店舗情報一覧をディスプレイに表示する。
【００６７】
放送局１１６では、パーソナリティ１２３、あるいは、スタッフによって店舗情報一覧からランキングなどにより所望の店舗が選択され、放送局端末装置１１２が操作されると、放送局端末装置１１２はステップＳ３−４でサーバ１１４に選択した店舗情報を要求する。
【００６８】
サーバ１１４は、ステップＳ２−８で店舗情報が要求されると、ステップＳ２−９で店舗情報管理データベース１３３、画像データベース１３４、テキストデータベース１３５、地図データベース１３６、顧客データベース１３７を参照して、要求された店舗の店舗情報を作成して、放送局端末装置１１２に送信する。
【００６９】
放送局端末装置１１２は、ステップＳ３−４でサーバ１１４から店舗情報を受信すると、ステップＳ３−５で店舗情報をディスプレイに表示する。パーソナリティ１２３、あるいは、スタッフは、ディスプレイに表示された店舗情報を参照、あるいは、プリントアウトして、放送を行う。放送を行う際に、パーソナリティ１２３、あるいは、スタッフは放送局端末装置１１２に店舗紹介を放送する旨の操作を行う。放送局端末装置１１２は、ステップＳ３−６で店舗紹介を放送する旨の操作が行われると、ステップＳ３−７で店舗情報紹介通知をサーバ１１４に送信する。
【００７０】
サーバ１１４は、ステップＳ２−１０で放送局端末装置１１２から店舗情報紹介通知を受信すると、ステップＳ２−１１で内蔵タイマを起動し、ステップＳ２−１２で通知された紹介される店舗情報を公開する。サーバ１１４は、ステップＳ２−１３で内蔵タイマを参照することにより店舗情報が公開されてから一定時間経過したか否かを判定する。サーバ１１４は、ステップＳ２−１３で放送によって紹介された店舗情報が公開されて一定時間経過すると、ステップＳ２−１４で店舗情報の公開を停止する。
【００７１】
なお、ステップＳ４−１で放送局１１６により放送された店舗の紹介は、ステップＳ５−１で放送エリア内のラジオ１１８で受信され、出力される。
【００７２】
ラジオ１１８の聴取者は、ラジオ１１８の出力により紹介された店舗に興味があれば、聴取者端末装置１１３を操作して、サーバ１１４の店舗情報公開ページにアクセスする。
【００７３】
聴取者端末装置１１３は、ステップＳ６−１でサーバ１１４の店舗情報公開ページにアクセスする。サーバ１１４は、現在公開している店舗情報を聴取者端末装置１１３に送信する。聴取者端末装置１１３は、ステップＳ６−２でサーバ１１４から店舗情報を受信すると、ステップＳ６−３で店舗情報を表示するとともに、内部メモリに記憶する。
【００７４】
なお、このとき、聴取者は聴取者端末装置１１３にサーバ１１４の店舗情報公開ページを予め登録しておけば、通信先を選択する、１クリックの操作だけで、現在放送されている店舗情報を取得できる。また、聴取者端末装置１１３の位置情報をサーバ１１４に通知することにより、サーバ１１４が聴取者端末装置１１３の位置を判定して、位置に対応するＦＭ放送局で現在公開されている店舗情報を聴取者端末装置１１３に提供するようにしてもよい。
【００７５】
なお、位置情報は、例えば、聴取者端末装置１１３がＧＰＳ付き携帯電話機である場合には、ＧＰＳにより取得した位置情報をサーバ１１４に自動的に通知したり、基地局などの位置情報をサーバ１１４に送信することにより、サーバ１１４に通知したりされる。また、聴取者が聴取者端末装置１１３から情報を入手したい地域を指定するようにしてもよい。このとき地域の指定は、例えば、固定電話の市外局番、郵便番号などを設定するようにしてもよい。さらに、地域のＦＭラジオ放送局の送信周波数を指定するようにしてもよい。
【００７６】
聴取者端末装置１１３の位置情報を取得し、取得した位置情報に対応する地域のＦＭ放送局により現在公開されている店舗情報を送信したりすることができる。
【００７７】
聴取者端末装置１１３の内部メモリに記憶された店舗情報は、クーポン、景品交換券などとして用いることができる。例えば、聴取者が店舗で聴取者端末装置１１３にその店舗の店舗情報を表示することにより、購買した商品の割引が受けられたり、景品を受け取ったりすることができる。
【００７８】
以上のように、本実施例によれば、ローカルなＦＭラジオ放送と通信などの複数のメディアを融合し、簡易、かつ、効率よく情報の発信及び提供を受けることができる。
【００７９】
このように、本実施例によれば、サーバ１１４により複数のＦＭラジオ放送局のエリアの情報を統合できるため、各ＦＭラジオ放送局がサーバを持つ必要がないので、安価に聴取者と双方向のコミュニケーションが行える。
【００８０】
また、各ＦＭラジオ放送局のエリア内の店舗は、サーバ１１４にアクセスし、必要な情報を入力するだけで、自動的に対応する地域のＦＭラジオ放送局のエリアに店舗情報など地域のＦＭラジオ放送局で放送し、開示することができるため、簡単に店舗の宣伝を行える。
【００８１】
聴取者は、聴取者端末装置１１３によりサーバ１１４にアクセスし、他のＦＭラジオ放送局のエリアの位置情報を入力するだけで、他のＦＭラジオ放送局のエリアの店舗情報などを取得することもできる。
【００８２】
なお、各店舗情報は、サーバ１１４にアクセスし、所望の操作を行うことによって、公開中でなくとも、参照することが可能である。サーバ１１４は、店舗情報にアクセスがある毎に店舗情報管理データベース１１３のアクセス頻度格納部１５１に格納されたアクセス頻度Ｈiをインクリメントする。
【００８３】
なお、本実施例では、店舗情報を提供する例について説明したが、ショッピングなどにも適用可能である。例えば、ＦＭ放送により商品紹介を行い、商品紹介を行っている最中に聴取者端末装置１１３からサーバ１１４の公開ページをアクセスし、必要事項を入力することにより容易に放送で紹介されている商品を購買できるようにできる。
【００８４】
さらには、リアルタイムに行われる人気投票などに用いることも可能である。
【００８５】
なお、提供する放送は、ラジオに限定されるものではなく、テレビジョン放送、オンデマンド放送などであってもよい。なお、オンデマンド放送の場合には、収録時の音声放送時に通知を行ない、音声と公開のタイミングとを同期させることにより店舗情報を公開するようにすれば、同様に店舗情報を提供することができる。
【００８６】
さらに、本実施例では、店舗からの情報を公開する場合を例について説明したが、店舗の情報に限定されるものではなく、自治体、学校などの公共機関の情報を公開するようにしてもよい。
【００８７】
また、本実施例では、ラジオ放送局端末装置１１２からの通知により、店舗情報の公開時間を設定したが、ランキングなどによって設定されたタイムスケジュールにより自動的に公開する時間を設定するようにしてもよい。タイムスケジュールは、例えば、聴取率の高い時間帯にランキング上位の店舗情報を公開するようにする。
【００８８】
この場合、サーバ１１４は、設定されたタイムスケジュールをラジオ放送局端末装置１１２に通知する。パーソナリティ１２３は、サーバ１１４から提供されラジオ放送局端末装置１１２に表示、あるいは、ラジオ放送局１１６で印刷されたタイムスケジュールに基づいて店舗情報を放送する。
【００８９】
次に、顧客情報配信時の動作を説明する。
【００９０】
図１１は顧客への情報配信時の動作説明図を示す。
【００９１】
店舗管理者１２２が店舗端末装置１１１を操作することによりサーバ１１４に情報配信要求を行うと、店舗端末装置１１１は、ステップＳ１−１１でサーバ１１４に情報配信要求を行う。
【００９２】
サーバ１１４は、ステップＳ２−２１で店舗端末装置１１１から情報配信要求を受信すると、ステップＳ２−２２で認証処理を行う。サーバ１１４は、ステップＳ２−２２で情報配信要求が承認されると、ステップＳ２−２３で情報配信画面を店舗端末装置１１１に送信する。
【００９３】
店舗端末装置１１１は、ステップＳ１−１２でサーバ１１４から情報配信画面を受信すると、ステップＳ１−１３で情報配信画面に従って配信すべき情報が入力される。店舗端末装置１１１は、店舗管理者１２２によりステップＳ１−１４で情報配信操作が行われると、ステップＳ１−１５でサーバ１１４に情報配信指示が送信される。
【００９４】
サーバ１１４は、ステップＳ２−２４で店舗端末装置１１１から入力された配信情報を顧客データベース１３７に登録された顧客に対して送信する。顧客端末装置２１３はステップＳ６−１１でサーバ１１４から情報を受信すると、ステップＳ６−１２で表示し、記憶する。
【００９５】
以上により、サーバ１１４を通して顧客に情報を配信することも可能となる。
【００９６】
なお、サーバ１１４は、配信情報入力時に情報を配信する顧客を店舗管理者１２２に選択させて、選択した顧客に情報を配信するようにしてもよい。顧客毎に異なる情報を配信するようにしてもよい。
【００９７】
なお、本実施例の情報提供システム１００は、上記の店舗情報を提供する商業用システムとして用いるのにとどまらず、災害時などに災害情報を提供したり、個人間の緊急連絡に用いたりする緊急用システムとして用いることも可能である。サーバ１１４は、緊急用システムとして、第４〜第７の情報提供手段を有する。第４の情報提供手段は、防災情報を取得したとき、放送局端末装置に防災情報を送信する。また、第５の情報提供手段は、予め災害時提供情報を有しており、防災情報から防災情報の適用地域を特定し、特定した地域に放送されている公開情報に代えて災害時提供情報を公開する。
【００９８】
また、第６の情報提供手段は、防災情報から防災情報の適用地域を特定し、特定した地域に属しており、かつ、予め登録された端末装置に対して防災情報を送信する。
【００９９】
さらに、第７の情報提供手段は、識別番号毎に個人情報、及び、メッセージ、並びに、公開先識別番号が予め登録されており、識別番号にアクセスされたとき公開先識別番号の個人情報、及び、メッセージを提供する。なお、このとき用いられる識別番号は、例えば、固定電話番号、あるいは、携帯電話番号である。
【０１００】
まず、第４〜第６の情報提供手段による動作を説明する。
【０１０１】
図１２は災害時の動作を説明するための図を示す。
【０１０２】
防災情報提供サーバ１１９は、気象庁、国土交通省などが運営する機関から地震、津波、大雨、暴風などの各種の防災情報を収集しており、ステップＳ７−３１で、これらの防災情報を取得すると、ステップＳ７−３２でサーバ１１４に防災情報を送信する。
【０１０３】
サーバ１１４は、ステップＳ２−３１で防災情報提供サーバ１１９から防災情報を受信すると、ステップＳ２−３２で受信した防災情報を全ての放送局端末装置１１２に送信する。
【０１０４】
ラジオ放送局端末装置１１２は、ステップＳ３−３１でサーバ１１４から防災情報を受信すると、ステップＳ３−３２で受信した防災情報をディスプレイに表示する。ラジオ放送局１１６では、ステップＳ４−３１で放送局端末装置１１２に表示された防災情報を参照して、防災情報を放送する。
【０１０５】
ラジオ１１８はステップＳ５−３１で防災放送を受信して音声出力する。これによって、聴取者は災害などの発生を事前に認識できる。また、災害発生後はその対処方法を容易に認識できる。
【０１０６】
また、サーバ１１４は、ステップＳ２−３３で受信した防災情報を解析する。防災情報の解析処理では、例えば、防災情報に含まれる地名情報などから防災情報が適用されている地域を特定し、特定された地域を含む放送エリアを特定する。さらに、雨量、風速、地震の震度などの情報により災害レベルを予測する。
【０１０７】
サーバ１１４は、ステップＳ２−３５で予め登録された端末装置のうち防災情報解析結果、防災情報が適用される地域に含まれる情報受信者端末装置１１３を抽出し、抽出された端末装置に対して防災情報を送信する。
【０１０８】
情報受信者端末装置１１３はステップＳ６−３１で防災情報を受信すると、ステップＳ６−３２で防災情報を受信した旨の報知を行う。情報受信者端末装置１１３はステップＳ６−３３で所定の操作が行われると、ステップＳ６−３４で防災情報をディスプレイに表示する。なお、このとき、情報受信者により予め、サーバ１１４に登録しておくことにより、防災情報を音声で通知するようにしてもよい。
【０１０９】
これによって、端末装置１１３の所持者は、防災情報を知ることができ、災害発生前に適切に対処できる。
【０１１０】
サーバ１１４は、ステップＳ２−３３で防災情報の解析結果から公開するコンテンツを商業用コンテンツから防災用コンテンツに切り替える放送局を決定する。
【０１１１】
防災用コンテンツは、例えば、避難場所や避難経路など示した地図情報、水、食料などを備蓄している店舗などの情報、並びに、行政から提供される情報、行政への連絡方法などの情報から構成されており、災害発生前から予め登録され、随時更新されるコンテンツである。この防災用コンテンツを参照することにより、災害に対する対処法を容易に取得できる。これによって、パニックなどの発生を抑制できる。また、商業用コンテンツは、店舗などによって予め登録された店舗を紹介する情報である。
【０１１２】
サーバ１１４は、ステップＳ２−３４で決定されたエリアの放送局端末装置１１２に防災情報を送信する。また、サーバ１１４は、ステップＳ２−３５で防災情報の解析結果、災害レベルが所定レベル以上となると予想される場合には、ステップＳ２−３６で適用エリアの提供コンテンツを商業用コンテンツから災害用コンテンツに切り替える。
【０１１３】
また、サーバ１１４は、ステップＳ２−３１で防災情報を受信しなければ、ステップＳ２−３６で平常時の処理動作が実行される。
【０１１４】
なお、サーバ１１４は、防災情報に基づいて提供コンテンツを商業用コンテンツから災害用コンテンツに切り替えたが、放送局端末装置１１２からの要求に基づいて提供コンテンツを商業用コンテンツから災害用コンテンツに切り替えるようにしてもよい。
【０１１５】
本実施例によれば、防災情報をラジオ放送、及び、メールなどによって周辺住民に至急に通知することができる。これによって、災害を最小限に抑えることが可能となる。また、災害発生時などには、災害用コンテンツにより避難場所、避難経路、食料の確保などの情報を通知できるため、パニックなどの発生を抑制できる。
【０１１６】
本実施例の情報提供システム１００は、平常時には商業用コンテンツを提供するシステムとして稼働しており、保守点検などは常時行われている。よって、本実施例の情報提供システム１００を商業用システムから緊急用システムに切り替えることにより緊急用のシステムを新たに設ける場合に比べて安価に緊急用システムを維持できる。
【０１１７】
次に、第７の情報提供手段について説明する。
【０１１８】
まず、個人情報登録処理について説明する
図１３は個人情報登録処理の動作説明図を示す。
【０１１９】
ここでは、第１の登録者端末装置３１１が第２の登録者端末装置３１２をグループ登録する場合について説明する。なお、第１の登録者端末装置３１１及び第２の登録者端末装置３１２は、例えば、カメラ付き携帯電話機から構成されている。
【０１２０】
まず、第１の登録端末装置３１１はステップＳ８−４１で所有者の操作によってサーバ１１４に登録サイトにアクセスし、ステップＳ８−４２で登録要求を行う。
【０１２１】
サーバ１１４はステップＳ２−４１で第１の登録端末装置３１１から登録要求が行われると、ステップＳ２−４２で第１の登録端末装置３１１に対して登録者の顔写真、氏名、年齢、住所、識別番号、パスワードなどの個人情報の入力を要求する。
【０１２２】
第１の登録端末装置３１１は、ステップＳ８−４３でサーバ１１４から個人情報の入力要求を受信すると、ステップＳ８−４４でディスプレイに個人情報入力画面を表示する。第１の登録端末装置３１１の所有者は、カメラ機能を使って自分の顔写真を撮影し、要求画面に貼り付けるとともに、氏名、年齢、住所、識別番号、パスワードなどの個人情報を入力する。第１の登録端末装置３１１は個人情報が入力され、ステップＳ８−４５で送信操作が行われると、ステップＳ８−４６で入力された個人情報をサーバ１１４に送信する。
【０１２３】
サーバ１１４は、ステップＳ２−４３で第１の登録端末装置３１１から個人情報を受信すると、ステップＳ２−４４で受信した個人情報を確認し、ステップＳ２−４５で個人情報データベース１３９に登録する。サーバ１１４は、個人情報データベース１３９への個人情報登録が終了すると、ステップＳ２−４６で登録通知を第１の登録端末装置３１１に送信する。
【０１２４】
第１の登録端末装置３１１は、ステップＳ８−４７でサーバ１１４から登録通知を受信すると、ステップＳ８−４８で登録通知をディスプレイに表示する。
【０１２５】
以上により第１の登録装置３１１による個人情報の個人情報データベース１３９への登録が終了する。
【０１２６】
なお、第２の登録端末装置３１２についても、ステップＳ９−４１〜Ｓ９−４８で第１の登録端末装置３１１と同様にして、個人情報データベース１３９に登録される。
【０１２７】
次にグループ情報登録処理について説明する。
【０１２８】
図１４はグループ情報登録処理の処理フローチャートを示す。
【０１２９】
まず、第１の登録端末装置３１１はステップＳ８−５１でサーバ１１４にアクセスして、ステップＳ８−５２で第２の登録端末装置３１１のグループへの登録要求を行う。
【０１３０】
サーバ１１４はステップＳ２−５１でグループ登録要求を受信すると、ステップＳ２−５２で第１の登録端末装置３１１に識別番号及びパスワードを要求する。
【０１３１】
第１の登録端末装置３１１は、ステップＳ８−５３でサーバ１１４から識別番号及びパスワードの要求を受信すると、ステップＳ８−５４で識別番号及びパスワードの入力画面を表示する。
【０１３２】
第１の登録端末装置３１１は、ステップＳ８−５５で識別番号及びパスワードの送信操作が行われると、ステップＳ８−５６で識別番号及びパスワードをサーバ１１４に送信する。
【０１３３】
サーバ１１４は、ステップＳ２−５３で第１の登録端末装置３１１からの識別番号及びパスワードを受信すると、ステップＳ２−５４で個人情報データベース１３９を参照して、識別番号及びパスワードを確認する。
【０１３４】
サーバ１１４は、ステップＳ２−５５で第１の登録端末装置３１１の識別番号及びパスワードが見つかると、ステップＳ２−５６でその個人情報のうち少なくとも顔写真及び氏名を含むグループ登録許可要求を第２の登録端末装置３１２に送信する。
【０１３５】
第２の登録端末装置３１２は、ステップＳ９−５１でサーバ１１４から第１の登録端末装置３１１の個人情報を含むグループ登録許可要求を受信すると、ステップＳ９−５２で第１の登録端末装置３１１から送信された個人情報をディスプレイに表示する。
【０１３６】
第２の登録端末装置３１２の所有者は、ディスプレイに表示された第１の登録端末装置３１１から送信された個人情報を参照して、グループへの登録を許可するか否かを判断する。第２の登録端末装置３１２はステップＳ９−５３で所有者の操作により登録を許可する旨の操作が行われると、ステップＳ９−５４でサーバ１１４に登録を許可する旨の通知を行う。
【０１３７】
サーバ１１４はステップＳ２−５７で第２の登録端末装置３１２から登録を許可する旨の通知を受信すると、ステップＳ２−５８で個人情報データベース１３９から第２の登録端末装置３１２の顔写真、氏名などの個人情報を読み出して、許可通知として第１の登録端末装置３１１に送信する。
【０１３８】
第１の登録端末装置３１１は、ステップＳ８−５７で第１の登録端末装置３１１からの個人情報を含むグループ登録許可通知を受信すると、ステップＳ８−５８で第２の登録端末装置３１２の個人情報をディスプレイに表示する。
【０１３９】
第１の登録端末装置３１１の所有者は、ディスプレイに表示された第１の登録端末装置３１１から送信された個人情報を参照して、グループに登録するか否かを判断できる。第１の登録端末装置３１１はステップＳ８−５９で所有者の操作により登録する旨の操作が行われると、ステップＳ８−６０でサーバ１１４に登録する旨の通知を行う。
【０１４０】
サーバ１１４は、ステップＳ２−５８で第１の登録端末装置３１１から登録通知を受信すると、ステップＳ２−５９で第２の登録端末装置３１２に登録通知を送信するとともに、ステップＳ２−６０で個人情報データベース１３９に第２の登録端末装置３１１と第１の登録端末装置３１１とがグループ化されたことを示すグループ情報を設定し、ステップＳ２−６１で登録通知を第２の登録端末装置３１２に送信する。
【０１４１】
第２の登録端末装置３１２は、ステップＳ９−５５でサーバ１１４から登録通知を受信すると、ステップＳ９−５６で第１の登録端末装置３１２がグループに登録されたことを示す登録通知を表示する。
【０１４２】
以上により、第１の登録端末装置３１１と第２の登録端末装置３１２とがグループ化される。なお、第１の登録端末装置３１１と第２の登録端末装置３１２とでグループ化が行われた状態で、さらに、第３の登録端末装置からグループ化の要求があった場合には、第１の登録端末装置３１１と第２の登録端末装置３１２との両方から登録許可を得ることによってグループ化の登録が許可される。
【０１４３】
また、上記動作を他の登録者端末装置と行うことによりグループへの登録者数を増やすことができる。
【０１４４】
上記のようにして、サーバ１１４を介してグループ登録を行うことにより、なりすましなどを防止することができる。また、個人情報は識別番号により管理され、サーバ１１４にアクセスすることにより、グループ登録された個人に対してメッセージを提供できる。よって、自分の携帯電話だけでなく、他人の携帯電話、あるいは、パーソナルコンピュータからもサーバ１１４にアクセスするだけで、グループに登録された個人に対してメッセージを提供できるとともに、メッセージの提供を受けることができる。
【０１４５】
図１５はメッセージ登録処理の動作説明図を示す。
【０１４６】
第１の登録端末装置３１１は、ステップＳ８−７１でサーバ１１４にアクセスして、ステップＳ８−７２でグループメッセージの登録を要求する。
【０１４７】
サーバ１１４はステップＳ２−７１で第１の登録端末装置３１１からグループメッセージの登録要求を受信すると、ステップＳ２−７２で第１の登録端末装置３１１に識別番号入力要求を送信する。
【０１４８】
第１の登録端末装置３１１は、ステップＳ８−７３でサーバ１１４から識別番号入力要求を受信すると、ステップＳ８−７４で識別番号入力画面を表示する。第１の登録端末装置３１１は、登録者により識別番号及びパスワードが入力され、ステップＳ８−７５で識別番号の送信操作が行われると、ステップＳ８−７６でサーバ１１４に識別番号を送信する。
【０１４９】
サーバ１１４は、ステップＳ２−７３で第１の登録端末装置３１１から識別番号を受信すると、ステップＳ２−７４で識別番号及びパスワードをキーとして個人情報データベース１３９を検索し、識別番号及びパスワードを確認する。サーバ１１４は、ステップＳ２−７５で識別番号及びパスワードが承認されると、ステップＳ２−７６で第１の登録端末装置３１１にメッセージ入力要求を送信する。
【０１５０】
第１の登録端末装置３１１は、ステップＳ８−７７でサーバ１１４からメッセージ入力要求を受信すると、ステップＳ８−７８でディスプレイにメッセージ入力要求を表示する。第１の登録端末装置３１１は、登録者によりメッセージが作成され、ステップＳ８−７９でメッセージ送信操作が行われると、ステップＳ８−８０でメッセージをサーバ１１４に送信する。
【０１５１】
サーバ１１４はステップＳ２−７７で第１の登録端末装置３１１からメッセージを受信すると、ステップＳ２−７８で第１の登録端末装置３１１からのメッセージを個人情報データベース１３９に登録し、第１の登録端末装置３１１にメッセージの登録を完了した旨の登録通知を送信する。
【０１５２】
第１の登録端末装置３１１は、ステップＳ８−８１でサーバ１１４から登録通知を受信すると、ステップＳ８−８２でディスプレイにメッセージの登録が完了した旨の表示を行う。
【０１５３】
以上により、メッセージの登録が終了する。
【０１５４】
次に、メッセージを提供する処理について説明する。
【０１５５】
図１６はメッセージ提供処理の動作説明図を示す。
【０１５６】
ここでは、第２の登録端末装置３１２がメッセージの提供を受ける場合について説明する。
【０１５７】
第２の登録端末装置３１２は、ステップＳ９−９１でサーバ１１４にアクセスし、ステップＳ９−９２でサーバ１１４にグループ登録者メッセージを要求する。
【０１５８】
サーバ１１４はステップＳ２−９１で第２の登録端末装置３１２からグループ登録者のメッセージ要求を受信すると、ステップＳ２−９２で第２の登録端末装置３１２に識別番号及びパスワードの入力を要求する。
【０１５９】
第２の登録端末装置３１２は、ステップＳ９−９３でサーバ１１４から識別番号・パスワード要求を受信すると、ステップＳ９−９４で識別番号入力画面を表示する。第２の登録端末装置３１２は識別番号・パスワードが入力され、ステップＳ９−９５で識別番号送信操作が行われると、ステップＳ９−９６でサーバ１１４に識別番号・パスワードを送信する。
【０１６０】
サーバ１１４は、ステップＳ２−９３で第２の登録端末装置３１２から識別番号を受信すると、ステップＳ２−９４で識別番号・パスワードをキーとして個人情報データベース１３９を検索し、識別番号・パスワードを確認する。
【０１６１】
サーバ１１４は、ステップＳ２−９５で識別番号・パスワードが承認されると、ステップＳ２−９６で個人情報データベース１３９の個人情報からグループ情報を取得し、グループ情報をキーとして再び個人情報データベース１３９を検索することにより、同じグループに属する個人のメッセージを収集する。サーバ１１４はステップＳ２−９７で同じグループに属する個人のメッセージの収集が完了すると、ステップＳ２−９８で第２の登録端末装置３１２にメッセージを送信する。
【０１６２】
第２の登録端末装置３１２はステップＳ９−９７でサーバ１１４からメッセージを取得すると、ステップＳ９−９８でディスプレイに表示する。
【０１６３】
以上により、第２の登録端末装置３１２の使用者は、グループ登録された個人のメッセージを参照することができる。
【０１６４】
以上のように本実施例によれば、緊急時には固定電話番号、あるいは、携帯電話番号などに設定された識別番号によりサーバ１１４にアクセスするだけで、予め設定されたグループの個人のメッセージを容易に取得できる。よって、緊急時の連絡を容易に行えるようになる。また、グループ設定時には、グループ内の個人に対して顔写真などを含む情報によって認証を求めることにより、なりすましなどを防止でき、よって、セキュリティ性の高いシステムにできる。
【０１６５】
なお、第７の情報提供手段は、緊急時だけでなく平常時のグループ内での情報交換を行うのに用いることもできる。
【０１６６】
なお、本発明は、上記実施例に限定されるものではなく、本発明の要旨を逸脱しない範囲で、種々の変形が可能であることは言うまでもない。
【図面の簡単な説明】
【０１６７】
【図１】本発明の一実施例のシステム構成図である。
【図２】一つの放送エリアＡi内のブロック構成図である。
【図３】サーバ１１４のブロック構成図である。
【図４】店舗情報管理データベース１３３のデータ構成図である。
【図５】写真データベース１３４のデータ構成図である。
【図６】テキストデータベース１３５のデータ構成図である。
【図７】地図データベース１３６のデータ構成図である。
【図８】顧客データベース１３７のデータ構成図である。
【図９】個人情報データベース１３９のデータ構成図である。
【図１０】本発明の一実施例の動作説明図である。
【図１１】顧客への情報配信時の動作説明図である。
【図１２】災害時の動作を説明するための図である。
【図１３】個人情報登録処理の動作説明図である。
【図１４】グループ情報登録処理の処理フローチャートである。
【図１５】メッセージ登録処理の動作説明図である。
【図１６】メッセージ提供処理の動作説明図である。
【符号の説明】
【０１６８】
１００  情報提供システム
１１１  店舗端末装置、１１２  放送局端末装置、１１３  聴取者端末装置
１１４  サーバ、１１５  ネットワーク、１１６  放送設備、１１７  放送局
１１８  ラジオ、１１９  防災情報提供サーバ
１３１  通信部、１３２  処理部、１３３  店舗情報管理データベース
１３４  画像データベース、１３５  テキストデータベース
１３６  地図データベース、１３７  顧客データベース、
１３８  管理プログラム記憶部、１３９  個人情報データベース
【図１】
2007235887.tif 000003
【図２】
2007235887.tif 000004
【図３】
2007235887.tif 000005
【図４】
2007235887.tif 000006
【図５】
2007235887.tif 000007
【図６】
2007235887.tif 000008
【図７】
2007235887.tif 000009
【図８】
2007235887.tif 000010
【図９】
2007235887.tif 000011
【図１０】
2007235887.tif 000012
【図１１】
2007235887.tif 000013
【図１２】
2007235887.tif 000014
【図１３】
2007235887.tif 000015
【図１４】
2007235887.tif 000016
【図１５】
2007235887.tif 000017
【図１６】
2007235887.tif 000018